(57)【要約】【課題】透明粒子の撮像工程を簡素化しながら、暗視野照明を用いて撮像された粒子画像を分析して形態的特徴情報を得ることが可能な粒子画像分析装置を提供する。【解決手段】この粒子画像分析装置は、粒子を暗視野照明するための照明光学系４と、暗視野照明された粒子を撮像するための撮像光学系５と、暗視野照明による撮像画像から粒子像を抽出し、抽出された粒子像を分析して粒子の形態的特徴を表す形態的特徴情報を求める画像処理基板６および画像データ処理部２ｂとを備える。また、画像処理基板６および画像データ処理部２ｂは、粒子像の背景に実質的に対応する輝度値よりも大きいしきい値に基づいて、撮像画像から粒子像を抽出するように構成されている。【選択図】図２
2007304044.tif 000002
【特許請求の範囲】
【請求項１】
撮像された粒子の画像を分析する粒子画像分析装置であって、
前記粒子を暗視野照明するための照明部と、
暗視野照明された前記粒子を撮像するための撮像部と、
前記暗視野照明による撮像画像から粒子像を抽出し、抽出された前記粒子像を分析して  前記粒子の形態的特徴を表す形態的特徴情報を求める画像処理部とを備え、
前記画像処理部は、前記粒子像の背景に実質的に対応する輝度値よりも大きいしきい値に基づいて、前記撮像画像から前記粒子像を抽出するように構成されている、粒子画像分析装置。
【請求項２】
前記画像処理部は、
前記撮像画像の背景に実質的に対応する輝度値を算出する算出手段と、
前記算出手段により算出された輝度値よりも大きいしきい値を設定するしきい値設定手段とを含むとともに、前記しきい値設定手段により設定された前記しきい値に基づいて、前記撮像画像から前記粒子像を抽出するように構成されている、請求項１に記載の粒子画像分析装置。
【請求項３】
前記粒子の流れを形成するフローセルをさらに備え、
前記撮像部は、前記フローセルに形成された前記粒子の流れを複数回撮像するように構成されており、
前記画像処理部は、前記しきい値設定手段による前記しきい値の設定、および、前記しきい値に基づく前記粒子像の抽出を前記撮像画像毎に実行するように構成されている、請求項２に記載の粒子画像分析装置。
【請求項４】
前記粒子の流れを形成するフローセルをさらに備え、
前記撮像部は、前記フローセルに形成された前記粒子の流れを複数回撮像するように構成されており、
前記画像処理部は、所定回数目に撮像された前記撮像画像を用いて前記しきい値設定手段によるしきい値の設定を行い、設定された前記しきい値に基づく前記粒子像の抽出を前記撮像画像毎に実行するように構成されている、請求項２に記載の粒子画像分析装置。
【請求項５】
前記画像処理部は、前記撮像画像の各画素の輝度値と前記しきい値とを比較することにより、前記粒子像を抽出するように構成されている、請求項１〜４のいずれか１項に記載の粒子画像分析装置。
【請求項６】
前記撮像画像の最頻度輝度値が、前記撮像画像の背景に実質的に対応する輝度値として用いられる、請求項１〜５のいずれか１項に記載の粒子画像分析装置。
【請求項７】
前記粒子の形態的特徴情報が、前記粒子の大きさおよび形状の少なくとも一方である、請求項１〜６のいずれか１項に記載の粒子画像分析装置。
【請求項８】
前記照明部が、明視野照明および前記暗視野照明のいずれか一方で前記粒子を照明可能であり、
前記撮像部が、前記明視野照明および前記暗視野照明のいずれか一方によって照明された前記粒子を撮像可能であり、
前記画像処理部が、前記明視野照明による撮像画像を処理する場合、前記撮像画像の背景に実質的に対応する輝度値よりも小さいしきい値に基づいて、前記明視野照明による撮像画像から前記粒子像を抽出し、抽出された前記粒子像を分析して前記粒子の形態的特徴を表す形態的特徴情報を求め、前記暗視野照明による撮像画像を処理する場合、前記撮像画像の背景に実質的に対応する輝度値よりも大きいしきい値に基づいて、前記暗視野照明による撮像画像から前記粒子像を抽出し、抽出された前記粒子像を分析して前記粒子の形態的特徴を表す形態的特徴情報を求める、請求項１〜７のいずれか１項に記載の粒子画像分析装置。
【請求項９】
前記照明部の発光強度を調整する調整部をさらに備え、
前記画像処理部が、前記暗視野照明による前記撮像画像から前記粒子像を抽出し、抽出された前記粒子像の輝度値を求め、
前記調整部は、前記粒子像の輝度値に基づいて前記発光強度を調整する、請求項１〜８のいずれか１項に記載の粒子画像分析装置。
【請求項１０】
前記調整部は、前記粒子像の平均輝度値に基づいて、前記発光強度を調整する、請求項９に記載の粒子画像分析装置。
【請求項１１】
前記調整部は、前記粒子像の目標輝度値と前記平均輝度値との差に基づいて前記発光強度を調整する、請求項１０に記載の粒子画像分析装置。
【請求項１２】
前記発光強度を調整する際に用いる粒子の大きさおよび形状は、実質的に均一である、請求項９〜１１のいずれか１項に記載の粒子画像分析装置。
【発明の詳細な説明】
【技術分野】
【０００１】
この発明は、粒子画像分析装置に関し、特に、撮像された粒子の画像を分析する粒子画像分析装置に関する。
【背景技術】
【０００２】
従来、粒子を撮像することが可能な粒子画像撮像装置や撮像された粒子の画像を分析する粒子画像分析装置が知られている（たとえば、特許文献１および２参照）。
【０００３】
上記特許文献１には、透明粒子を水に分散させた第１懸濁液と不透明粒子を水に分散させた第２懸濁液とを混合することにより、透明粒子に不透明粒子を静電的に付着させて透明粒子を不透明化（着色）した後、その不透明化された粒子を撮像し、その撮像した画像を解析する粒子画像分析装置が開示されている。この粒子画像分析装置では、撮像画像に基づいて透明粒子の円形度（形態的特徴情報）が算出される。
【０００４】
また、上記特許文献２には、光源からの出射口を輪帯光に変換する輪帯光生成部（暗視野照明部）と、輪帯光を液中に分散した粒子に集光して照射する内面反射ミラーと、照明された粒子から光を輪帯光の内側で受光する対物レンズと、対物レンズの光軸上に設けた結像レンズと、結像レンズの形成する像を撮像するための撮像素子とを備えた粒子画像撮像装置が開示されている。この特許文献２による粒子画像撮像装置では、光散乱媒体中の粒子を明瞭に撮像することが可能である。
【０００５】
【特許文献１】特開２００２−３５７５３４号公報
【特許文献２】特開２０００−１３１６１６号公報
【発明の開示】
【発明が解決しようとする課題】
【０００６】
しかしながら、上記特許文献１による粒子画像分析装置では、透明な粒子を撮像するために、透明粒子を水に分散させた第１懸濁液と不透明粒子を水に分散させた第２懸濁液とを調製し、さらに、第１懸濁液と第２懸濁液とを混合する必要があるため、透明粒子の撮像工程に、多くの工数および手間がかかる。その結果、撮像工程が複雑化する。
【０００７】
また、上記特許文献２は、コヒーレンス低下素子によってコヒーレンスを低下させたレーザー光を、輪帯光に変換して照明するとともに、レーザー波長程度の粗さを有する透光板や、光軸から離れた部分が光軸より高い光透過率を持つ空間フィルターを用いることにより、光散乱媒体中の微粒子を撮像できるようにしている一方、撮像した粒子画像を解析することについて記載がなく、特に透明粒子画像をどのように解析すれば透明粒子の形態的特徴情報を取得できるかについて全く記載がない。
【０００８】
この発明は、上記のような課題を解決するためになされたものであり、この発明の１つの目的は、透明粒子の撮像工程を簡素化しながら、暗視野照明を用いて撮像された粒子画像を分析して形態的特徴情報を得ることが可能な粒子画像分析装置を提供することである。
【課題を解決するための手段および発明の効果】
【０００９】
この発明の一の局面による粒子画像分析装置は、撮像された粒子の画像を分析する粒子画像分析装置であって、粒子を暗視野照明するための照明部と、暗視野照明された粒子を撮像するための撮像部と、暗視野照明による撮像画像から粒子像を抽出し、抽出された粒子像を分析して粒子の形態的特徴を表す形態的特徴情報を求める画像処理部とを備え、画像処理部は、粒子像の背景に実質的に対応する輝度値よりも大きいしきい値に基づいて、撮像画像から粒子像を抽出するように構成されている。
【００１０】
この一の局面による粒子画像分析装置では、上記のように、暗視野照明された粒子を撮像することによって、透明粒子の撮像画像の背景の輝度値に対して、撮像画像の粒子の輝度値を大きくすることができる。これにより、撮像前に透明粒子の不透明化（着色）を行うなどの操作を行うことなく透明粒子を撮像することができるので、透明粒子の撮像工程を簡素化することができる。また、暗視野照明による撮像画像から粒子像を抽出し、抽出された粒子像を分析して粒子の形態的特徴を表す形態的特徴情報を求める画像処理部を設けることによって、その画像処理部により、暗視野照明を用いて撮像された画像を容易に分析して形態的特徴情報を得ることができる。また、画像処理部を、粒子像の背景に実質的に対応する輝度値よりも大きいしきい値に基づいて、撮像画像から粒子像を抽出するように構成することによって、容易に、暗視野照明によって撮像された粒子画像の輝度値の小さい背景から輝度値の大きい粒子像を抽出することができる。
【００１１】
上記一の局面による粒子画像分析装置において、好ましくは、画像処理部は、撮像画像の背景に実質的に対応する輝度値を算出する算出手段と、算出手段により算出された輝度値よりも大きいしきい値を設定するしきい値設定手段とを含むとともに、しきい値設定手段により設定されたしきい値に基づいて、撮像画像から粒子像を抽出するように構成されている。このように構成すれば、算出手段およびしきい値設定手段を含む画像処理部により、容易に、暗視野照明によって撮像された粒子画像から粒子像を抽出することができる。
【００１２】
上記画像処理部が算出手段としきい値設定手段とにより粒子画像を抽出する構成において、好ましくは、粒子の流れを形成するフローセルをさらに備え、撮像部は、フローセルに形成された粒子の流れを複数回撮像するように構成されており、画像処理部は、しきい値設定手段によるしきい値の設定、および、しきい値に基づく粒子像の抽出を撮像画像毎に実行するように構成されている。このように構成すれば、撮像画像毎に適切なしきい値が設定されるので、撮像画像毎に適切な粒子像の抽出を行うことができる。
【００１３】
上記画像処理部が算出手段としきい値設定手段とにより粒子画像を抽出する構成において、好ましくは、粒子の流れを形成するフローセルをさらに備え、撮像部は、フローセルに形成された粒子の流れを複数回撮像するように構成されており、画像処理部は、所定回数目に撮像された撮像画像を用いてしきい値設定手段によるしきい値の設定を行い、設定されたしきい値に基づく粒子像の抽出を撮像画像毎に実行するように構成されている。このように構成すれば、しきい値の設定を１回のみ行うことにより各撮像画像から粒子像の抽出を行うことができる。
【００１４】
上記一の局面による粒子画像分析装置において、好ましくは、画像処理部は、撮像画像の各画素の輝度値としきい値とを比較することにより、粒子像を抽出するように構成されている。このように構成すれば、しきい値よりも大きい輝度値を有する画素の集合を粒子像として抽出することができる。
【００１５】
上記一の局面による粒子画像分析装置において、好ましくは、撮像画像の最頻度輝度値が、撮像画像の背景に実質的に対応する輝度値として用いられる。このように構成すれば、背景に実質的に対応する輝度値を、容易に、算出することができる。
【００１６】
上記一の局面による粒子画像分析装置において、好ましくは、粒子の形態的特徴情報が、粒子の大きさおよび形状の少なくとも一方である。このように構成すれば、粒子の大きさおよび形状の少なくとも一方を測定することができる。
【００１７】
上記一の局面による粒子画像分析装置において、好ましくは、照明部が、明視野照明および暗視野照明のいずれか一方で粒子を照明可能であり、撮像部が、明視野照明および暗視野照明のいずれか一方によって照明された粒子を撮像可能であり、画像処理部が、明視野照明による撮像画像を処理する場合、撮像画像の背景に実質的に対応する輝度値よりも小さいしきい値に基づいて、明視野照明による撮像画像から粒子像を抽出し、抽出された粒子像を分析して粒子の形態的特徴を表す形態的特徴情報を求め、暗視野照明による撮像画像を処理する場合、撮像画像の背景に実質的に対応する輝度値よりも大きいしきい値に基づいて、暗視野照明による撮像画像から粒子像を抽出し、抽出された粒子像を分析して粒子の形態的特徴を表す形態的特徴情報を求める。このように構成すれば、１つの粒子画像分析装置を用いて、明視野照明よって撮像された撮像画像および暗視野照明によって撮像された撮像画像のいずれの撮像画像からも、粒子像の抽出を行うことができるとともに、形態的特徴情報を得ることができる。
【００１８】
上記一の局面による粒子画像分析装置において、好ましくは、照明部の発光強度を調整する調整部をさらに備え、画像処理部が、暗視野照明による撮像画像から粒子像を抽出し、抽出された粒子像の輝度値を求め、調整部は、粒子像の輝度値に基づいて発光強度を調整する。このように構成すれば、たとえば、鮮明な粒子像を得ることができるように、照明部の発光強度を設定することができる。
【００１９】
この場合、好ましくは、調整部は、粒子像の平均輝度値に基づいて、発光強度を調整する。このように構成すれば、粒子像が全体的に適切な輝度値を有するように照明部の発光強度を設定することができる。
【００２０】
この場合、好ましくは、調整部は、粒子像の目標輝度値と平均輝度値との差に基づいて発光強度を調整する。このように構成すれば、目標輝度値と平均輝度値との差が最も小さくなる平均輝度値に対応する照明部の発光強度を、目標輝度値に対応する発光強度として設定することができる。
【００２１】
上記照明部の発光強度を調整する調整部を備える構成において、好ましくは、発光強度を調整する際に用いる粒子の大きさおよび形状は、実質的に均一である。このように構成すれば、粒子の撮像画像から抽出された粒子像の輝度値がばらつくのを抑制することができる。このため、その粒子像の輝度値に基づいて発光強度を調整することにより、発光強度の調整をより正確に行うことができる。
【発明を実施するための最良の形態】
【００２２】
以下、本発明を具体化した実施形態を図面に基づいて説明する。
【００２３】
図１は、本発明の一実施形態による粒子画像処理装置を含む粒子画像分析装置の全体構成を示した斜視図であり、図２は、図１に示した粒子画像分析装置の全体構成を示した概略図である。図３〜図１２は、図１に示した一実施形態による粒子画像処理装置の構造を説明するための図であり、図１３は、暗視野照明による測定原理を説明するための図である。図１４は、図１に示した一実施形態による粒子画像分析装置の粒子画像処理装置の構成を示すブロック図である。まず、図１〜図１４を参照して、本発明の一実施形態による粒子画像処理装置１を含む粒子画像分析装置の全体構成について説明する。
【００２４】
この粒子画像分析装置は、ファインセラミックス粒子や、顔料、化粧品パウダーなどの粉体の品質を管理するために用いられる。この粒子画像分析装置は、図１および図２に示すように、粒子画像処理装置１と、粒子画像処理装置１に電気信号線（本実施形態では、ＵＳＢ（Ｕｎｉｖｅｒｓａｌ  Ｓｅｒｉａｌ  Ｂｕｓ）２.０ケーブル）３００を用いて電気的に接続される画像データ分析装置２とにより構成されている。
【００２５】
粒子画像処理装置１は、液体中の粒子を撮像するとともに、撮像した粒子画像を分析することにより、粒子の形態的特徴情報（大きさ、形状など）を求めるための処理を行うために設けられている。この粒子画像処理装置１により分析される粒子としては、たとえば、ファインセラミックス粒子、顔料、化粧品パウダーなどの粉体が挙げられる。また、粒子画像処理装置１は、図１に示すように、全体がカバー１ａで覆われている。このカバー１ａは、遮光の機能を有しており、内面に保温のための断熱材（図示せず）が取り付けられている。
【００２６】
また、粒子画像処理装置１には、図８に示すように、カバー１ａ（図１参照）で覆われた粒子画像処理装置１の内部を所定の温度（約２５℃）に保つためのペルチェ素子１ｂおよびファン１ｃが取り付けられている。上記したカバー１ａ、ペルチェ素子１ｂおよびファン１ｃにより、粒子画像処理装置１内を所定の温度（約２５℃）に保つことによって、温度変化に起因する撮像時の焦点距離のずれや、後述するシース液の粘度や比重などの特性の変化を抑制することが可能である。
【００２７】
また、本実施形態による粒子画像処理装置１では、粒子を撮像する際に、測定対象によって、明視野照明または暗視野照明のいずれか一方に切換可能である。たとえば、測定対象が透明な粒子または透明に近い粒子である場合には、粒子は、暗視野照明によって撮像され、測定対象が不透明な粒子の場合には、粒子は、明視野照明によって撮像される。
【００２８】
また、画像データ分析装置２は、粒子画像処理装置１により処理された粒子画像を記憶および分析することにより、粒子の大きさや形状などを自動的に算出して表示するために設けられている。この画像データ分析装置２は、図１および図２に示すように、粒子画像を表示するための画像表示部（ディスプレイ）２ａとキーボード２ｃとを有するパーソナルコンピュータ（ＰＣ）からなる。
【００２９】
粒子画像処理装置１は、図２に示すように、粒子懸濁液の流れを形成する流体機構部３と、粒子懸濁液の流れに対して光を照射する照明光学系４と、粒子懸濁液の流れを撮像する撮像光学系５と、撮像光学系５によって撮像された撮像画像から部分画像（粒子像）の切り出し処理などを行う画像処理基板６と、粒子画像処理装置１の制御を行うＣＰＵ基板７とを備えている。照明光学系４と撮像光学系５とは、流体機構部３を挟んで対向する位置に配置されている。
【００３０】
流体機構部３は、透明な石英製のフローセル８と、フローセル８に対して粒子懸濁液およびシース液の供給を行う供給機構部９と、フローセル８を支持する支持機構部１０とを含んでいる。フローセル８は、粒子懸濁液の流れを、粒子懸濁液の両側を流れるシース液の流れで挟み込むことにより、偏平な流れに変換する機能を有している。このフローセル８は、図２および図３に示すように、フローセル８の撮像光学系５側の外面の中央位置近傍に縦長形状の凹部８ａを有している。フローセル８内を流れる粒子懸濁液は、フローセル８の凹部８ａを介して撮像されるように構成されている。
【００３１】
供給機構部９は、図２に示すように、フローセル８に粒子懸濁液を供給するためのサンプルノズル９ａ（図２参照）を有する供給部９ｂと、供給部９ｂに粒子懸濁液を送り込む供給口９ｃと、シース液を収容するシース液容器９ｄと、シース液を一時的に貯留するシース液チャンバ９ｅと、フローセル８内を通過したシース液を貯留する廃液チャンバ９ｆとを有している。
【００３２】
支持機構部１０は、図４〜図７に示すように、フローセル８を矢印Ａ方向および矢印Ｂ方向に移動可能に支持することによって、後述する対物レンズ６１との間の距離を変化させることが可能なように構成されている。この支持機構部１０は、フローセル取付部材１１と、フローセル取付部材１１を矢印Ａ方向および矢印Ｂ方向にスライド可能に支持するスライドレール１２ａおよびスライダ１２ｂからなる直動ガイド１２と、駆動力中継部１３と、駆動力中継部１３を矢印Ａ方向および矢印Ｂ方向にスライド可能に支持するスライドレール１４ａおよびスライダ１４ｂからなる直動ガイド１４と、直動ガイド１２および直動ガイド１４が取り付けられる支持板１５と、駆動力中継部１３をスライド移動させるための駆動モータ１６とを含んでいる。さらに、支持機構部１０は、フローセル８が矢印Ａ方向の端部に到達したことを検知するための光透過型のセンサ１７と、フローセル８が矢印Ｂ方向の端部に到達したことを検知するための光透過型のセンサ１８と、支持板１５のフローセル取付部材１１側に固定的に取り付けられる側板１９と、支持板１５の駆動力中継部１３側に互いに対向するように取り付けられた側板２０および２１と、側板２１に取り付けられるモータ取付板２２と、モータ取付板２２に取り付けられる４つのモータ取付柱部２３と、フローセル取付部材１１および側板１９の間に取り付けられる圧縮コイルバネ２４と、フローセル取付部材１１に取り付けられるストッパ部材２５とを含んでいる。
【００３３】
フローセル取付部材１１には、図４〜図７に示すように、平面的に見てＬ字形状の当接部１１ａが一体的に設けられている。
【００３４】
駆動力中継部１３は、内部にネジ穴（図示せず）を有する板状の中継部材１３ａと、中継部材１３ａのネジ穴に挿入されるネジ軸１３ｂ（図５および図７参照）と、駆動モータ１６の駆動力をモータ軸１６ａからネジ軸１３ｂ（図５および図７参照）に伝達するためのカップリング１３ｃとを含んでいる。駆動モータ１６がモータ軸１６ａおよびカップリング１３ｃを介してネジ軸１３ｂを回転することにより、中継部材１３ａは、直動ガイド１４により矢印Ａ方向および矢印Ｂ方向にスライドされるように構成されている。また、中継部材１３ａには、Ｌ字形状の当接部１１ａに対応する位置にネジ穴（図示せず）を有する突出部１３ｄが設けられている。突出部１３ｄのネジ穴には、Ｌ字形状の当接部１１ａ側に先端が突出するネジ１３ｅが取り付けられている。また、中継部材１３ａには、透過型センサ１７および１８にそれぞれ検知される検知片１３ｆおよび１３ｇが取り付けられている。
【００３５】
駆動モータ１６は、ステッピングモータであり、粒子画像処理装置１のＣＰＵ基板７によって制御される。また、駆動モータ１６に１パルス与えられる毎にフローセル８が約０.３７μｍ移動するように、中継部材１３ａのネジ穴（図示せず）およびネジ軸１３ｂが構成されている。また、本実施形態による粒子画像分析装置の画像データ分析装置２は、駆動モータ１６を制御することにより、フローセル８と後述する対物レンズ６１との間の距離を調整することによって、自動的に、フローセル８内を流れる粒子懸濁液中の粒子に、後述する撮像部８０のＣＣＤカメラ８２の焦点を合わせることが可能である。これについては、後に詳細に説明する。
【００３６】
また、センサ１７は、中継部材１３ａに取り付けられた検知片１３ｆを検知することによって、中継部材１３ａが矢印Ａ方向の端部に到達したことを検知する機能を有する。また、センサ１８は、中継部材１３ａに取り付けられた検知片１３ｇを検知することによって、中継部材１３ａが矢印Ｂ方向の端部に到達したことを検知する機能を有する。なお、中継部材１３ａと、フローセル８が取り付けられるフローセル取付部材１１とは、後述するように、一体的にスライドするため、センサ１７および１８は、それぞれ、フローセル８が矢印Ａ方向およびＢ方向の端部位置に到達したことを検知することが可能である。これにより、フローセル８が対物レンズ６１またはコンデンサレンズ５３に接触することが抑制される。
【００３７】
また、フローセル取付部材１１は、フローセル取付部材１１および側板１９の間に取り付けられる圧縮コイルバネ２４によって矢印Ａ方向に付勢されている。これにより、フローセル取付部材１１のＬ字状の当接部１１ａは、中継部材１３ａの突出部１３ｄのネジ１３ｅの先端に押圧される。このため、中継部材１３ａがスライド移動された場合に、フローセル取付部材１１が中継部材１３ａと一体的にスライドされる。また、フローセル取付部材１１に設けられたストッパ部材２５は、フローセル取付部材１１が所定の位置よりもＢ方向に移動するのを抑制するために設けられている。
【００３８】
照明光学系４は、図２および図８に示すように、照射部３０と、照射部３０よりもフローセル８側に設置される減光部４０と、減光部４０よりもフローセル８側に設置される集光部５０とにより構成されている。照射部３０は、光をフローセル８に向かって照射するために設けられている。
【００３９】
この照射部３０は、図９および図１０に示すように、光源としてのランプ３１と、視野絞り部３２と、ランプ３１および視野絞り部３２を支持するブラケット３３とを含んでいる。視野絞り部３２は、後述する撮像部８０による撮像可能な視野の範囲を調節するために設けられている。また、ランプ３１は、画像データ分析装置２によって発光電圧が制御される。ランプ３１に印加する電圧値は、画像データ分析装置２において、１０桁の２進数によって表されるＤＡ値によって制御される。ＤＡ値は、「００００００００００」〜「１１１１１１１１１１」までの１０２４段階に可変であり、約４００Ｖ〜１０００Ｖの電圧値に対応している。
【００４０】
また、ランプ３１は、粒子を撮像する際に、パルス光を１／６０秒毎に周期的に照射する。これにより、１秒間に６０フレーム分の粒子画像が撮像される。通常の測定では、１回の測定において、１分間で３６００フレーム分の粒子画像が撮像される。
【００４１】
また、本実施形態では、粒子画像分析装置の画像データ分析装置２は、ランプ３１のストロボ発光強度を自動調整可能に構成されている。この点については、後に詳細に説明する。
【００４２】
減光部４０は、照射部３０からの光を減光することにより、光の強度を調節するために設けられている。この減光部４０は、図９に示すように、照射部３０に対して固定的に取り付けられる固定減光部４０ａと、照射部３０に対してＹ方向に移動可能に取り付けられる移動減光部４０ｂと、固定減光部４０ａおよび移動減光部４０ｂを支持するブラケット４０ｃとを含んでいる。
【００４３】
固定減光部４０ａは、図９および図１０に示すように、固定減光フィルタ４１と、２つの長ネジ４２と、レール部材４３と、位置決めピン４４とを有している。固定減光フィルタ４１は、レール部材４３に対して取外し可能に構成されることにより、減光率の異なる他の固定減光フィルタ４１と交換可能に構成されている。２つの長ネジ４２は、固定減光フィルタ４１をレール部材４３に取り付けるために設けられている。位置決めピン４４は、固定減光フィルタ４１のレール部材４３に対する位置決めとしての機能を有している。また、本実施形態では、暗視野照明による撮像時において光量を十分に確保するために、暗視野照明による撮像を行う場合には、固定減光部４０ａの固定減光フィルタ４１は取り外される。
【００４４】
移動減光部４０ｂは、図９および図１０に示すように、移動減光フィルタ４５と、移動減光フィルタ４５を直動ガイド４６（図１０参照）に沿って移動させるための駆動機構部４７と、移動減光フィルタ４５に取り付けられた検知片４８（図９参照）と、ブラケット４０ｃに取り付けられるとともに、検知片４８を検知するための光透過型のセンサ４９とを含んでいる。移動減光フィルタ４５は、固定減光部４０ａよりも照射部３０側に設置されるとともに、照射部３０からの光を減光可能な作動位置と、照射部３０からの光に影響を与えない退避位置とを移動可能に構成されている。駆動機構部４７は、ピストンロッド４７ａを有する駆動源としてのエアシリンダ４７ｂと、エアシリンダ４７ｂのピストンロッド４７ａに連結部材４７ｃを介して接続される駆動伝達部材４７ｄとを有している。この駆動伝達部材４７ｄは、移動減光フィルタ４５に取り付けられている。なお、この移動減光フィルタ４５は、上記した固定減光フィルタ４１と異なり、減光率の異なる他の移動減光フィルタ４５とは容易に交換できないように取り付けられている。なお、移動減光フィルタ４５は、後述するリレーレンズ（レンズ８８およびレンズ８９）による倍率切換の際の光量調整に使用される。
【００４５】
集光部５０は、減光部４０により減光された光をフローセル８に向かって集光するために設けられている。この集光部５０は、図９および図１０に示すように、補助レンズ５１と、補助レンズ５１よりもフローセル８（図１０参照）側に設置される開口絞り５２と、開口絞り５２よりもフローセル８側に設置されるコンデンサレンズ５３と、開口絞り５２の開口数を調節するための絞り調整部５４と、ブラケット５５とを含んでいる。開口絞り５２は、照射部３０側からの光の量を調節するために設けられている。
【００４６】
ここで、本実施形態では、図１１および図１２に示すように、暗視野照明を行う場合、補助レンズ５１に、中央部に遮光部１５０ａを有するリングスリット１５０が取り付けられる。リングスリット１５０は、遮光部１５０ａと、縁部１５０ｂと、遮光部１５０ａと縁部１５０ｂとを連結する連結部１５０ｃとを含む。また、リングスリット１５０は、補助レンズ５１のリング取付部５１ａに嵌め込まれることにより取り付けられる。これにより、後述するランプ３１から照射された光が直接対物レンズ６１に入らないようにすることが可能である。また、リングスリット１５０ａの遮光部１５０ｂは、対物レンズ６１に直接光が入らない最小限の大きさが設定されている。これにより、開口部分が大きくなるので、撮像に必要な量の光を粒子に照射することが可能である。なお、暗視野照明を行う場合、絞り調整部５４により開口絞り５２の開口が最大になるように設定される。
【００４７】
ここで、暗視野照明の測定原理について説明する。暗視野照明では、図１３に示すように、リングスリット１５０を補助レンズ５１に装着することによって、コンデンサレンズ５３によって集光された光が対物レンズ６１に直接光が入らないように構成されている。すなわち、暗視野照明では、試料（粒子）１６０に当たって回折した光のみが対物レンズ６１に入ることによって、試料像（粒子像）を形成する。また、試料（粒子）１６０に当たらない光は、対物レンズ６１に入らないため、背景が試料像（粒子像）に比べて暗く写る（小さい輝度値を有する）。透明粒子を撮像する場合には、明視野照明における撮像画像の背景と粒子像との輝度値の差よりも、暗視野照明における撮像画像の背景と粒子像との輝度値の差が大きくなるので、暗視野照明を用いるのが好ましい。
【００４８】
なお、明視野照明では、リングスリット１５０を取り外すことによって、試料（粒子）に当たって遮られた光は対物レンズ６１に入らないか、または、強度が弱められて対物レンズに入る。また、試料（粒子）に当たらない光は、直接対物レンズ６１に入る。このため、明視野照明では、撮像画像の背景が試料像（粒子像）に比べて明るく映る（大きい輝度値を有する）。
【００４９】
撮像光学系５は、図２および図８に示すように、対物レンズ部６０と、結像レンズ部７０と、撮像部８０とにより構成されている。
【００５０】
対物レンズ部６０は、照明光学系３０からの光により照射されたフローセル８（図１０参照）の内部を流れる粒子懸濁液中の粒子の光像を拡大するために設けられている。この対物レンズ部６０は、図９および図１０に示すように、対物レンズ６１と、対物レンズ６１を保持するための対物レンズホルダ６２と、対物レンズホルダ６２を支持するためのブラケット６３と、位置決めピン６４（図９参照）と、固定ネジ６５とを含んでいる。
【００５１】
結像レンズ部７０は、図８に示すように、対物レンズ部６０で拡大された粒子の光像を結像するための結像レンズ７１と、結像レンズ７１を保持するブラケット７２とを含んでいる。
【００５２】
撮像部８０は、結像レンズ部７０で結像された粒子像を撮像するために設けられている。この撮像部８０は、図８に示すように、リレーレンズボックス８１と、ＣＣＤカメラ８２と、リレーレンズボックス８２を２つの直動ガイド８３に沿って図８のＰ方向にスライドさせるための駆動機構部８４と、撮像部８０を覆う遮光カバー８５と、リレーレンズボックス８１に取り付けられた検知片８６と、検知片８６を検知するための光透過型のセンサ８７とを含んでいる。リレーレンズボックス８１には、２倍の拡大倍率を有するレンズ８８と、０．５倍の拡大倍率を有するレンズ８９とが内蔵されている。リレーレンズボックス８１をＰ方向にスライドさせることによって、２倍の拡大倍率を有するレンズ８８と、０．５倍の拡大倍率を有するレンズ８９とを交換可能である。
【００５３】
次に、図２および図１４を参照して、画像処理基板６の構成について説明する。画像処理基板６は、図１４に示すように、ＣＰＵ９１と、ＲＯＭ９２と、メインメモリ９３と、画像処理プロセッサ９４と、フレームバッファ９５と、フィルタテスト用メモリ９６と、バックグラウンド補正データ用メモリ９７と、プライムコードデータ格納用メモリ９８と、頂点データ格納用メモリ９９と、結果データ格納用メモリ１００と、画像入力インターフェース１０１と、ＵＳＢインターフェース１０２とにより構成されている。ＣＰＵ９１、ＲＯＭ９２、メインメモリ９３および画像処理プロセッサ９４は、互いにデータの送受信が可能なようにバス（ＢＵＳ）により接続されている。また、画像処理プロセッサ９４は、フレームバッファ９５、フィルタテスト用メモリ９６、バックグラウンド補正データ用メモリ９７、プライムコードデータ格納用メモリ９８、頂点データ格納用メモリ９９、結果データ格納用メモリ１００および画像入力インターフェース１０１と、それぞれ、個別のバス（ＢＵＳ）により接続されている。これにより、画像処理プロセッサ９４から、フレームバッファ９５、フィルタテスト用メモリ９６、バックグラウンド補正データ用メモリ９７、プライムコードデータ格納用メモリ９８、頂点データ格納用メモリ９９および結果データ格納用メモリ１００へ、それぞれ、データの読み出し、および書き込みが可能になるとともに、画像入力インターフェース１０１から画像処理プロセッサ９４へデータの入力が可能になる。このような画像処理基板６のＣＰＵ９１は、ＰＣＩバスを介してＵＳＢインターフェース１０２に接続されている。ＵＳＢインターフェース１０２は、図示しないＵＳＢ／ＲＳ−２３２ｃ変換器を介してＣＰＵ基板７に接続されている。
【００５４】
ＣＰＵ９１は、ＲＯＭ９２に記憶されているコンピュータプログラムと、メインメモリ９３にロードされたコンピュータプログラムとを実行する機能を有している。ＲＯＭ９２は、マスクＲＯＭ、ＰＲＯＭ、ＥＰＲＯＭ、ＥＥＰＲＯＭなどにより構成されている。このＲＯＭ９２には、ＣＰＵ９１により実行されるコンピュータプログラムや、コンピュータプログラムに用いるデータなどが記録されている。メインメモリ９３は、ＳＲＡＭまたはＤＲＡＭなどにより構成されている。このメインメモリ９３は、ＲＯＭ９２に記録されているコンピュータプログラムの読み出しに用いられるとともに、コンピュータプログラムをＣＰＵ９１が実行する際のＣＰＵ９１の作業領域として使用される。
【００５５】
画像処理プロセッサ９４は、ＦＰＧＡ（Ｆｉｅｌｄ  Ｐｒｏｇｒａｍｍａｂｌｅ  Ｇａｔｅ  Ａｒｒａｙ）やＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などにより構成されている。この画像処理プロセッサ９４は、メディアンフィルタ処理回路、ラプラシアンフィルタ処理回路、２値化処理回路、エッジトレース処理回路、重なりチェック処理回路、結果データ作成回路などの画像処理を実行可能なハードウェアを備える画像処理専用のプロセッサである。フレームバッファ９５、フィルタテスト用メモリ９６、バックグラウンド補正データ用メモリ９７、プライムコードデータ格納用メモリ９８、頂点データ格納用メモリ９９および結果データ格納用メモリ１００は、それぞれ、ＳＲＡＭやＤＲＡＭなどにより構成されている。これらのフレームバッファ９５、フィルタテスト用メモリ９６、バックグラウンド補正データ用メモリ９７、プライムコードデータ格納用メモリ９８、頂点データ格納用メモリ９９および結果データ格納用メモリ１００は、画像処理プロセッサ９４が画像処理を実行する際のデータの格納用として使用される。
【００５６】
画像入力インターフェース１０１は、Ａ／Ｄ変換器を含むビデオデジタイズ回路（図示せず）を備えている。この画像入力インタフェース１０１は、図２および図１４に示すように、ビデオ信号ケーブル１０３によってＣＣＤカメラ８２（撮像部８０）に電気的に接続されている。これにより、ＣＣＤカメラ８２から入力されたビデオ信号は、画像入力インターフェース１０１（図１４参照）でＡ／Ｄ変換される。そして、デジタル化された画像データ（粒子画像）は、フレームバッファ９５に格納されるように構成されている。ＵＳＢインターフェース１０２は、ＣＰＵ基板７と図示しないＵＳＢ／ＲＳ−２３２ｃ変換器を介して接続されている。また、ＵＳＢインターフェース１０２は、電気信号線（ＵＳＢ２．０ケーブル）３００によって画像データ分析装置２に接続されている。ＣＰＵ基板７は、ＣＰＵ、ＲＯＭおよびＲＡＭなどにより構成されており、粒子画像処理装置１を制御する機能を有している。
【００５７】
画像データ分析装置２は、図１および図２に示すように、画像表示部２ａと、ＣＰＵ、ＲＯＭ、ＲＡＭおよびハードディスクなどを備えた装置本体としての画像データ処理部２ｂと、キーボードなどの入力装置２ｃとを含むパーソナルコンピュータ（ＰＣ）により構成されている。画像データ処理部２ｂのハードディスクには、粒子画像処理装置１と通信することにより粒子画像処理装置１での処理結果に基づいて画像データの解析処理および統計処理を行うためのアプリケーションプログラムがインストールされている。このアプリケーションプログラムは、画像データ処理部２ｂのＣＰＵにより実行されるように構成されている。また、本実施形態では、画像データ分析装置２の制御によって、後述するランプ３１のストロボ発光強度の自動調整と、フローセル８の自動焦点調整とを行うことが可能である。
【００５８】
次に、図２、図３、図８、図１４および図１５を参照して、本発明の一実施形態による粒子画像処理装置１の動作について説明する。まず、フローセル８の焦点の調整が行われた後、ランプ３１のストロボ発光強度の調整が行われる。なお、この点については、後に詳細に説明する。その後、バックグラウンド補正データを生成するためのバックグラウンド補正用画像の撮像が行われる。具体的には、フローセル８にシース液のみを供給した状態で、ランプ３１からパルス光を１／６０秒毎に周期的に照射し、ＣＣＤカメラ８２により撮像を行う。これによって、粒子がフローセル８内を通過していない状態の１／６０秒毎の静止画像（バックグラウンド補正用画像）が、対物レンズ６１を介してＣＣＤカメラ８２により撮像される。そして、粒子が写っていない状態の複数のバックグラウンド補正用画像を画像処理基板６に取り込む。これにより、図１５に示すように、１つのバックグラウンド補正データを生成する。そして、画像処理基板６では、バックグラウンド補正データをバックグラウンド補正データ用メモリ９７（図１４参照）に格納するとともに、電気信号線（ＵＳＢ２．０ケーブル）３００を介して画像データ分析装置２の画像データ処理部２ｂに送信する。そして、画像データ分析装置２側では、受信したバックグラウンド補正データを画像データ処理部２ｂ内のメモリに保存する。なお、このバックグラウンド補正データを生成する処理は、粒子の撮像開始前に１回だけ実行される。
【００５９】
次に、粒子の撮像が行われる。具体的には、図２に示す供給口９ｃに供給された粒子懸濁液は、フローセル８の上方に位置する供給部９ｂに送り込まれる。そして、供給部９ｂの粒子懸濁液は、供給部９ｂに設けられたサンプルノズル９ａ（図２参照）の先端から少しずつフローセル８内に押し出される。また、シース液もシース液容器９ｄからシース液チャンバ９ｅおよび供給部９ｂを介してフローセル８内に送り込まれる。そして、粒子懸濁液は、図３に示すように、シース液に両側を挟み込まれることにより流体力学的に偏平な形状に絞られた状態で、フローセル８内を上方から下方に向かって流れる。そして、粒子懸濁液は、図２に示すように、フローセル８内を通過した後、廃液チャンバ９ｆを介して排出される。上記のように、流体機構部３のフローセル８で偏平な形状に絞られた粒子懸濁液の流れに対して、照明光学系４の照射部３０から光を照射することによって、撮像光学系５において粒子の画像が対物レンズ部６０を介して撮像部８０により撮像される。
【００６０】
このとき、フローセル８内で偏平に絞られた粒子懸濁液の流れに対して、ランプ３１（図８参照）からパルス光を１／６０秒毎に周期的に照射する。このランプ３１からのパルス光の照射は、６０秒間行われる。これによって、合計３６００枚の粒子の静止画像が対物レンズ６１を介してＣＣＤカメラ８２により撮像される。
【００６１】
また、粒子懸濁液の流れの偏平な面を撮像部８０で撮像することにより、撮像される粒子の重心と、撮像部８０のＣＣＤカメラ８２の撮像面との距離を実質的に一定にすることが可能である。これにより、粒子の大きさに関わらず常にピントの合った粒子像を得ることが可能である。
【００６２】
そして、ＣＣＤカメラ８２によって撮像された撮像画像（粒子画像）は、ビデオ信号ケーブル１０３を介してビデオ信号として画像処理基板６（図１４参照）へ出力される。画像処理基板６の画像入力インターフェース１０１では、ＣＣＤカメラ８２（図１４参照）からのビデオ信号をＡ／Ｄ変換することにより、デジタル化された画像データを生成する。図１４に示す画像入力インターフェース１０１が出力した画像データは、転送されてフレームバッファ９５に格納される。そして、フレームバッファ９５に格納されたフレームデータに対して、図１５に示すように、画像処理基板６による画像データからの部分画像（粒子像）の切り出し処理（抽出）と、画像データ処理部２ｂへの画像処理結果データの送信とが行われる。この場合、まず、画像処理基板６の画像処理プロセッサ９４（図１４参照）による以下のような画像処理が実行される。
【００６３】
図１６は、図１４に示した一実施形態による粒子画像処理装置の画像処理プロセッサの撮像画像の処理手順を示したフローチャートである。図１７〜図２４は、図１４に示した一実施形態による粒子画像処理装置の画像処理プロセッサの撮像画像の処理方法を説明するための図である。次に、図１４〜図２４を参照して、一実施形態による粒子画像処理装置１の画像処理プロセッサ９４の撮像画像の処理方法を説明する。
【００６４】
画像処理プロセッサ９４による画像処理としては、ステップＳ１において、画像処理プロセッサ９４は、フレームバッファ９５に格納された粒子画像（画像データ）に対してノイズ除去処理を実行する。すなわち、画像処理プロセッサ９４には、上記したように、メディアンフィルタ処理回路が設けられている。このメディアンフィルタ処理回路によるメディアンフィルタ処理を施すことによって、粒子画像中のゴミなどのノイズが除去される。このメディアンフィルタ処理は、注目画素およびその近傍の８画素を含む計９画素について、各々の輝度値を数値の大きい（または、小さい）順に並べて、９画素の画素値のメディアン（中間値）を注目画素の輝度値とする処理である。
【００６５】
次に、ステップＳ２において、画像処理プロセッサ９４は、粒子懸濁液の流れに対する照射光の強度むらを補正するためのバックグラウンド補正処理を実行する。すなわち、画像処理プロセッサ９４には、上記したように、ラプラシアンフィルタ処理回路が設けられている。バックグラウンド補正処理では、ラプラシアンフィルタ処理回路によって、予め取得されてバックグラウンド補正データ用メモリ９７に格納されているバックグラウンド補正データと、メディアンフィルタ処理後の粒子画像との比較演算を行い、粒子画像から大部分の背景画像を除去した補正画像を生成する。
【００６６】
次に、ステップＳ３において、画像処理プロセッサ９４は、輪郭強調処理を実行する。この輪郭強調処理においては、ラプラシアンフィルタ処理回路によるラプラシアンフィルタ処理が行われる。このラプラシアンフィルタ処理は、注目画素およびその近傍の８画素を含む計９画素について、各々の輝度値と、対応する所定の係数とを掛け合わせ、その乗算結果の和を注目画素の輝度値とする処理である。図１７に示すように、注目画素Ｘ（ｉ，ｊ）に対応する係数を「２」とし、注目画素と上下左右方向で隣接する４つの画素Ｘ（ｉ，ｊ−１）、Ｘ（ｉ，ｊ＋１）、Ｘ（ｉ−１，ｊ）、および、Ｘ（ｉ＋１，ｊ）に対応する係数を「−１／４」とし、注目画素と斜め方向で隣接する４つの画素Ｘ（ｉ−１，ｊ−１）、Ｘ（ｉ＋１，ｊ−１）、Ｘ（ｉ＋１，ｊ＋１）、および、Ｘ（ｉ−１，ｊ＋１）に対応する係数を「０」としている。そして、以下の式（１）によって、ラプラシアンフィルタ処理後の注目画素の輝度値Ｙ（ｉ，ｊ）を算出する。なお、以下の式（１）による演算の結果が２５５よりも大きい場合には２５５を出力し、式（１）による演算の結果が負の数となる場合には０を出力する。                              
Ｙ（ｉ，ｊ）  ＝  ２×Ｘ（ｉ，ｊ）−０．２５×（Ｘ（ｉ，ｊ−１）＋Ｘ（ｉ−１，ｊ）＋Ｘ（ｉ，ｊ＋１）＋Ｘ（ｉ＋１，ｊ））＋０．５  ・・・（１）
【００６７】
次に、ステップＳ４において、画像処理プロセッサ９４は、輪郭強調処理が施された後のデータに基づいて、２値化のスレッシュホールドレベル（２値化しきい値）を設定する。すなわち、画像処理プロセッサ９４のラプラシアンフィルタ回路には、２値化しきい値設定処理を実行する輝度ヒストグラマ部が設けられている。まず、画像処理プロセッサ９４は、ラプラシアンフィルタ処理後の画像データから輝度ヒストグラム(図１８および図１９参照)を作成する。図１８は、明視野照明による撮像画像の輝度ヒストグラムを示し、図１９は、暗視野照明による撮像画像の輝度ヒストグラムを示している。画像処理プロセッサ９４は、この輝度ヒストグラムに対して所定のスムージング処理を行う。そして、スムージング処理後の輝度ヒストグラムから最頻度輝度値を求めた後、この最頻度輝度値を用いて以下の式（２）または（３）によって２値化しきい値を算出する。
２値化しきい値  ＝  最頻度輝度値  ×  α（パーセント）  ＋  β  ・・・（２）
２値化しきい値  ＝  最頻度輝度値  ＋  γ  ・・・（３）
上記式（２）は、明視野照明による撮像画像に対して適用され、上記式（３）は、暗視野照明による撮像画像に対して適用される。なお、上記式（２）および（３）において、α、βおよびγは、ユーザにより設定可能なパラメータであり、ユーザは、測定対象によってα、βおよびγの値を変更可能である。なお、αおよびβのデフォルト値（既定値）は、それぞれ、「９０」および「０」である。また、γの値は、１０〜７０に設定される。
【００６８】
次に、ステップＳ５において、画像処理プロセッサ９４は、２値化しきい値設定処理で設定したスレッシュホールドレベル（２値化しきい値）で、ラプラシアンフィルタ処理後の画像に対して２値化処理を行う。すなわち、明視野照明による撮像画像に対しては、上記式（２）で算出された値より小さい輝度値を有する画素の集合を粒子像として抽出する。また、暗視野照明による撮像画像に対しては、上記式（３）で算出された値より大きい輝度値を有する画素の集合を粒子像として抽出する。
【００６９】
そして、ステップＳ６において、２値化処理が施された画像の各画素に対して、プライムコードおよび多重点情報を取得する。すなわち、画像処理プロセッサ９４には、２値化処理回路が設けられている。この２値化処理回路によって、２値化処理およびプライムコード・多重点情報取得処理が実行される。なお、プライムコードとは、注目画素およびその近傍の８つの画素を含む計９画素について求められる２値化コードであり、以下のように定義される。プライムコードデータ格納用メモリ９８は、図２０に示すように、１ワード（１１ｂｉｔ）中にプライムコード格納領域９８ａおよび多重点数格納領域９８ｂの２つの領域を含んでいる。プライムコード格納領域９８ａは、図２０中のｂｉｔ０〜ｂｉｔ７で示す８ｂｉｔの領域であり、多重点数格納領域９８ｂは、図２０中のｂｉｔ８〜ｂｉｔ１０で示す３ｂｉｔの領域である。次に、プライムコードの定義について説明する。図２１に示すように、２値化処理された画像データのＰ０〜Ｐ８の９画素について、Ｐ１〜Ｐ３の画素値が０になっており、Ｐ０およびＰ４〜Ｐ８の画素値が１となっている。なお、Ｐ０〜Ｐ８の９画素に各々対応する輝度値が２値化しきい値以上の場合には、Ｐ０〜Ｐ８の画素値が１となり、Ｐ０〜Ｐ８の９画素に各々対応する輝度値が２値化しきい値未満の場合には、Ｐ０〜Ｐ８の画素値が０となる。この場合のプライムコードを説明する。注目画素Ｐ８以外の８つの画素Ｐ０〜Ｐ７は、プライムコード格納領域９８ａのｂｉｔ０〜ｂｉｔ７に各々対応している。つまり、プライムコード格納領域９８ａは、下位ビット（ｂｉｔ０）から上位ビット（ｂｉｔ７）へ向けて、８つの画素Ｐ０〜Ｐ７の画素値が各々格納されるように構成されている。これにより、プライムコードは、２進数表記では１１１１０００１となり、１６進数表記ではＦ１となる。なお、注目画素Ｐ８の画素値は、プライムコードには含まれない。
【００７０】
また、注目画素とその近傍の８画素とによって構成される領域が、粒子像の境界の一部である場合、すなわち、プライムコードが２進数表記で００００００００以外の場合には、多重点情報が求められる。多重点とは、後述するエッジトレースの際に何回通過する可能性があるかを示すコードであり、予めルックアップテーブル（図示せず）に全てのパターンに対応する多重点情報が記憶されている。そして、このルックアップテーブルを参照することによって多重点数が求められる。図２２を参照して、Ｐ２およびＰ５〜Ｐ８の４画素の画素値が１であり、Ｐ０、Ｐ１、Ｐ３およびＰ４の４画素の画素値が０である場合には、図２２中の矢印ＣおよびＤで示すように、エッジトレースの際に注目画素Ｐ８を２回通過する可能性がある。したがって、注目画素Ｐ８は２重点となり、多重点数は２となる。この多重点数は、多重点数格納領域９８ｂに格納される。
【００７１】
次に、ステップＳ７において、画像処理プロセッサ９４は、頂点データを作成する。この頂点データ作成処理も、上記した２値化処理およびプライムコード・多重点情報取得処理と同様、画像処理プロセッサ９４に設けられた２値化処理回路によって実行される。頂点データとは、後述するエッジトレースを開始する予定の座標を示すデータである。注目画素およびその近傍の８画素を含む計９画素の領域が、以下の３つの条件（条件（１）〜条件（３））をすべて満たす場合にのみ頂点であると判断される。                    
条件（１）・・・注目画素Ｐ８の画素値が１である。
条件（２）・・・注目画素Ｐ８の上方の３画素（Ｐ１〜Ｐ３）、および、注目画素Ｐ８の左隣の１画素（Ｐ４）の画素値が０である。
条件（３）・・・注目画素Ｐ８の右隣の１画素（Ｐ０）、および、注目画素Ｐ８の下方の３画素（Ｐ５〜Ｐ７）のうち少なくとも１つの画素の画素値が１である。
【００７２】
画像処理プロセッサ９４は、全画素の中から頂点に該当する画素を検索し、作成した頂点データ（頂点の位置を示す座標データ）を頂点データ格納用メモリ９９に格納する。
【００７３】
次に、ステップＳ８において、画像処理プロセッサ９４は、エッジトレース処理を実行する。画像処理プロセッサ９４には、上記したように、エッジトレース処理回路が設けられており、エッジトレース処理回路によりエッジトレース処理が実行される。このエッジトレース処理では、まず、頂点データからエッジトレースを開始する座標を特定し、この座標からプライムコードと、予め記憶されている進行方向を決定するためのコードとに基づいて、粒子像のエッジトレースを行う。そして、画像処理プロセッサ９４は、エッジトレースの際に、各粒子像の面積値、直行カウント数、斜行カウント数、コーナカウント数および位置を算出する。ここで、粒子像の面積値とは、粒子像を構成する画素の総数、すなわち、エッジで囲まれた領域の内側に含まれる画素の総数をいう。また、直行カウント数とは、粒子像の３画素以上のエッジ画素が上下方向または左右方向に直線状に並ぶ場合に、その直線区間の両端のエッジ画素を除いたエッジ画素の総数をいう。すなわち、直行カウント数は、粒子像のエッジのうち、上下方向または左右方向へ延びた直線成分を構成するエッジ画素の総数のことである。また、斜行カウント数とは、粒子像の３画素以上のエッジ画素が斜め方向に直線状に並ぶ場合に、その斜め方向の直線区間の両端のエッジ画素を除いたエッジ画素の総数をいう。すなわち、斜行カウント数は、粒子像のエッジのうち、斜め方向へ延びた直線成分を構成するエッジ画素の総数のことである。また、コーナカウント数とは、粒子像のエッジ画素のうち、隣り合う複数のエッジ画素がそれぞれ異なる方向で接する（たとえば、一方のエッジ画素とは上方で隣り合い、他方のエッジ画素とは左方で隣り合う場合など）エッジ画素の総数をいう。すなわち、コーナカウント数は、粒子像のエッジのうち、コーナを構成するエッジ画素の総数のことである。また、粒子像の位置は、粒子像の右端、左端、上端および下端の座標により決定される。画像処理プロセッサ９４は、上記した算出結果のデータを、画像処理プロセッサ９４に内蔵されている内部メモリ（図示せず）に格納する。
【００７４】
次に、ステップＳ９において、画像処理プロセッサ９４は、粒子の重なりチェック処理を実行する。画像処理プロセッサ９４には、上記したように、重なりチェック回路が設けられており、この重なりチェック回路によって、重なりチェック処理が実行される。この粒子の重なりチェック処理においては、まず、画像処理プロセッサ９４が、上記したエッジトレース処理による粒子像の解析結果に基づいて、１つの粒子像（外側粒子像）の中に他の粒子像（内側粒子像）が包含されているか否かを判別する。そして、外側粒子像の中に内側粒子像が存在する場合には、内側粒子像を後述する結果データ作成処理における部分画像の切り出し対象から除外する。次に、内側粒子像が存在するか否かの判別原理について説明する。まず、図２３に示すように、２つの粒子像Ｇ１およびＧ２を選択し、一方の粒子像Ｇ１のＸ座標の最大値Ｇ１ＸＭＡＸおよび最小値Ｇ１ＸＭＩＮと、Ｙ座標の最大値Ｇ１ＹＭＡＸおよび最小値Ｇ１ＹＭＩＮとを特定する。次に、他方の粒子像Ｇ２のＸ座標の最大値Ｇ２ＸＭＡＸおよび最小値Ｇ２ＸＭＩＮと、Ｙ座標の最大値Ｇ２ＹＭＡＸおよび最小値Ｇ２ＹＭＩＮとを特定する。そして、以下の４つの条件（条件（４）〜条件（７））を全て満たす場合に、粒子像Ｇ１は、粒子像Ｇ２を包含していると判別されて、内側粒子像が存在すると判別される。
条件（４）・・・粒子像Ｇ１のＸ座標の最大値Ｇ１ＸＭＡＸが、粒子像Ｇ２のＸ座標の最大値Ｇ２ＸＭＡＸよりも大きい。
条件（５）・・・粒子像Ｇ１のＸ座標の最小値Ｇ１ＸＭＩＮが、粒子像Ｇ２のＸ座標の最小値Ｇ２ＸＭＩＮよりも小さい。
条件（６）・・・粒子像Ｇ１のＹ座標の最大値Ｇ１ＹＭＡＸが、粒子像Ｇ２のＹ座標の最大値Ｇ２ＹＭＡＸよりも大きい。
条件（７）・・・粒子像Ｇ１のＹ座標の最小値Ｇ１ＹＭＩＮが、粒子像Ｇ２のＹ座標の最小値Ｇ２ＹＭＩＮよりも小さい。
【００７５】
上記した重なりチェック処理の結果データは、画像処理プロセッサ９４の内部メモリ（図示せず）に格納される。
【００７６】
次に、ステップＳ１０において、画像処理プロセッサ９４は、上記したステップＳ１〜Ｓ９における処理により特定した個々の粒子像を個別に含む部分画像を粒子画像から切り出す（抽出する）とともに、画像処理結果データを作成する。画像処理プロセッサ９４には、上記したように、結果データ作成回路が設けられており、結果データ作成回路により結果データ作成処理が実行される。この結果データ作成処理により作成される部分画像は、粒子画像から、１つの粒子と、予め設定されている余白値によって決定される粒子の周囲の領域とを含む矩形領域を切り出した画像である。なお、本実施形態による矩形領域は、図２４に示す粒子像の上端の座標（ＹＭＩＮ）、下端の座標（ＹＭＡＸ）、左端の座標（ＸＭＩＮ）および右端の座標（ＸＭＡＸ）により決定される領域Ｒ１よりも上下左右方向に各々３画素分ずつ広い領域Ｒ２のことをいう。
【００７７】
ここで、画像処理結果データは、図２５に示すように、上記したステップＳ１０における画像処理によって認識された全ての粒子像についての部分画像データ、粒子像の面積値（画素数）、直行カウント数、斜行カウント数およびコーナカウント数などのデータに加えて、粒子像を含む部分画像の位置のデータ（ＸＭＩＮ、ＸＭＡＸ、ＹＭＩＮおよびＹＭＡＸ）や、画像データの格納位置のデータを含んでいる。この画像処理結果データは、１フレーム毎に生成される。なお、１フレームの画像処理結果データ（１フレームデータ）の大きさは、６４キロバイトの固定長である。このため、１粒子データの大きさによって、１フレームデータの大きさが変化することはない。また、１フレームデータは、前フレームデータに上書きされて生成される。図２５に示した１フレームデータでは、各々の１粒子データが非常に大きいため、４つの粒子データのみが埋め込まれている。１粒子データ長が小さい場合や、１粒子データの数が少ない場合には、１フレームデータの先頭からデータが埋め込まれていくので、１フレームデータの末尾に前フレームデータが残ることがある。しかしながら、転送先の画像データ処理部２ｂでは、１粒子データ内に記憶されている１フレーム内の粒子総数によって、１フレームデータ内の１粒子データを認識するため、末尾に残った前フレームデータが認識されることはない。画像処理プロセッサ９４は、結果データ作成処理によって作成した画像処理結果データを結果データ格納用メモリ１００に格納する。このようにして、画像処理プロセッサ９４による画像処理（粒子像の抽出）が終了する。なお、画像処理プロセッサ９４は、以上のような一連の画像処理をパイプライン処理によって繰り返し実行し、１フレーム毎の部分画像を３６００フレーム分について生成する。なお、１フレーム内に粒子画像が存在しない場合は、図２５に示した１フレーム内の１粒子データの先頭データを上書きするとともに、ヘッダーとフッターとの間の粒子情報を「０」で埋める。
【００７８】
図２６は、図１５に示した一実施形態による画像データ処理部の画像解析処理モジュールの動作手順を示したフローチャートである。次に、図２６を参照して、画像データ処理装置２の画像データ処理部２ｂによる部分画像の解析処理の動作について説明する。
【００７９】
前述したように、画像データ処理部２ｂのハードディスクには、部分画像の解析処理を行うためのアプリケーションプログラム（画像解析処理モジュール）がインストールされている。そして、この画像解析処理モジュールにより部分画像の解析処理が実行される。この部分画像の解析処理動作では、まず、図２６に示したステップＳ２１において、画像データ処理部２ｂが、１フレーム分の画像処理結果データ（部分画像を含む）を受信する。そして、ステップＳ２２において、受信した１フレーム分の画像処理結果データ内に入っている粒子数を取得する。
【００８０】
ここで、ステップＳ２３において、画像データ処理部２ｂは、画像データ格納位置（図１４参照）に基づいて、１フレーム分の画像処理結果データから部分画像を抽出する。そして、ステップＳ２４、Ｓ２５、Ｓ２６、Ｓ２７およびＳ２８において、ノイズ除去処理、バックグラウンド補正処理、２値化しきい値設定処理、２値化処理およびエッジトレース処理の各処理を実行する。なお、ステップＳ２４〜Ｓ２８において実行される各処理は、それぞれ、図１６に示した画像処理プロセッサ９４の処理手順フロー中のステップＳ１、Ｓ２、Ｓ４、Ｓ５およびＳ８における各処理に対応する。すなわち、画像処理プロセッサ９４において行われる各処理を、画像データ処理部２ｂにおいても行うことが可能である。これにより、画像処理プロセッサ９４において行われた各処理の条件と異なる条件で画像データ処理部２ｂにおいて各処理を行うことが可能である。また、画像処理プロセッサ９４での処理がハードウェア処理されているのに対して、画像データ処理部２ｂでの処理は、ソフトウェア処理されている。
【００８１】
次に、ステップＳ２９において、１フレーム分の全ての部分画像が解析処理されたか否かが判断される。そして、ステップＳ２９において、１フレーム分の全ての部分画像が解析処理されていないと判断された場合には、ステップＳ２３に戻り、画像データ格納位置（図２５参照）に基づいて、１フレーム分の画像処理結果データから他の部分画像を抽出する。一方、ステップＳ２９において、１フレーム分の全ての部分画像が解析処理されたと判断された場合には、ステップＳ３０に進む。ステップＳ３０において、全て（３６００枚）のフレームについて画像処理結果データを受信したか否かが判断される。そして、ステップＳ３０において、全てのフレームについて画像処理結果データを受信していないと判断された場合には、ステップＳ２１に戻り、他の１フレーム分の画像処理結果データを受信する。一方、ステップＳ３０において、全てのフレームについて画像処理結果データを受信したと判断された場合には、そのまま終了する。これにより、６０秒間の粒子の撮像により得られた３６００フレーム分の部分画像に対応する粒子画像の画像解析処理が終了する。
【００８２】
図２７は、本実施形態による粒子画像撮像装置において暗視野照明を用いる場合の自動焦点調整の動作について説明するためのフローチャートである。次に、図７および図２７を参照して、本実施形態による粒子画像撮像装置の暗視野照明時の自動焦点調整の動作について説明する。なお、自動焦点調整が行われる際に撮像される試料は、大きさおよび形状の実質的に均一な粒子（ラテックス粒子）である。
【００８３】
まず、ステップＳ３１において、粒子画像処理装置１のＣＰＵ基板７による制御により駆動モータ１６を駆動することによって、フローセル８を３６パルス（０．３７μｍ  ×  ３６＝１３．３２μｍ）分、図９の矢印Ａ方向（対物レンズ６１に対して離間する方向）に移動する。そして、ステップＳ３２において、ｎ＝１とした後、ステップＳ３３において、粒子を６０フレーム分撮像する。
【００８４】
次に、ステップＳ３４において、撮像した複数の粒子像の一つ一つにおいて平均輝度値を求める。その平均輝度値をさらに平均することにより、評価値（６０フレーム分の平均輝度値）を算出する。
【００８５】
次に、ステップＳ３５において、ｎ＝２５を満たすか否かを判断する。ｎ＝２５を満たす場合は、ステップＳ３８に移動する。また、ｎ＝２５を満たさない場合は、ステップＳ３６において、ｎ＝ｎ＋１（本説明ではｎ＝２）とするとともに、ステップＳ３７において、フローセル８を３パルス（０．３７μｍ  ×  ３＝１．１１μｍ）分、図９の矢印Ｂ方向（対物レンズ６１に対して接近する方向）に移動する。その状態で、ステップＳ３３およびステップＳ３４において、粒子を撮像するとともに、評価値（６０フレーム分の平均輝度値）を算出する。その後、ｎ＝２５を満たすまで（２５回になるまで）、同様に、ステップＳ３３からステップＳ３７までの処理を繰り返す。つまり、本実施形態では、フローセル８は、３６パルス（１３．３２μｍ）分、図９の矢印Ａ方向（対物レンズ６１に対して離間する方向）に移動された後、図９の矢印Ｂ方向（対物レンズ６１に対して接近する方向）に、２５回にわたって、３パルス（１．１１μｍ）分ずつ移動されながら、各位置における評価値が算出される。これにより、フローセル８の位置（ｎの値）と粒子像の評価値（６０フレーム分の平均輝度値）との関係を示すデータが得られる。
【００８６】
また、ステップＳ３５において、ｎ＝２５になった場合には、ステップＳ３８において、ステップＳ３３〜ステップＳ３７で算出した評価値（６０フレーム分の平均輝度値）とフローセル８の位置（ｎの値）との関係を図２８に示すような６次関数に近似する。
【００８７】
次に、ステップＳ３９において、図２８に示した６次関数の極大値を調べることによって評価値（６０フレーム分の平均輝度値）が最も大きくなるフローセル８の位置（ピーク位置）を焦点位置として算出する。
【００８８】
次に、ステップＳ４０において、上記ピーク位置（焦点位置）にフローセル８を移動する。その後、ステップＳ４１において、確認測定が行われる。そして、確認測定の結果をユーザが確認することにより自動焦点調整は終了する。
【００８９】
なお、明視野照明における自動焦点調整の場合、撮像した複数の粒子像の面積（画素数）の平均値とフローセル８の位置（ｎの値）との関係を６次関数に近似する。そして、焦点が合うほど、面積（画素数）が少なくなることを考慮して、面積の平均値が最も小さくなるフローセル８の位置（ピーク位置）を焦点位置として算出する。そして、算出したピーク位置にフローセル８が移動されることによって、焦点が調整される。
【００９０】
図２９は、ランプ３１のストロボ発光強度の自動調整動作を説明するためのフローチャートである。次に、図２９を参照して、本実施形態による粒子画像分析装置のストロボ発光強度の自動調整動作について説明する。
【００９１】
まず、ステップＳ５１において、画像データ分析装置２の画像表示部（ディスプレイ）２ａにおいてストロボ発光強度の調整指示が行われたか否かを判断する。調整指示が行われていない場合には、この判断が繰り返される。また、調整指示が行われた場合は、ステップＳ５２において、フローセル８にシース液が流されることにより、フローセル８が自動的に洗浄される。
【００９２】
この後、ユーザによって試料の投入が行われる。ここで使用される試料は、大きさおよび形状の実質的に均一な粒子（ラテックス粒子）である。なお、明視野照明の場合は、粒径２μｍのラテックス粒子が投入される。また、暗視野の場合は、粒径７μｍのラテックス粒子が投入される。
【００９３】
その後、ステップＳ５３において、画像データ分析装置２の画像表示部（ディスプレイ）２ａにおいて測定開始ボタン（図示せず）が押下されたか否かが判断される。測定開始ボタン（図示せず）の押下がない場合は、この判断が繰り返される。また、測定開始ボタン（図示せず）の押下があった場合は、ステップＳ５４において、ストロボ発光強度が自動的に調整される。この点については、後に詳細に説明する。
【００９４】
ストロボ発光強度の調整が終了した後、ステップＳ５５において、フローセル８にシース液が流されることにより、もう一度フローセル８の自動洗浄が行われる。以上により、ストロボ発光強度の調整動作が終了する。
【００９５】
図３０は、暗視野照明時におけるストロボ発光強度の自動調整動作を説明するためのフローチャートであり、図３１は、ＤＡ値の具体例を示す図である。次に、図３０および図３１を参照して、暗視野照明時におけるストロボ発光強度の自動調整動作を説明する。
【００９６】
まず、ステップＳ６１において、ｎ＝９とするとともに、Ｄｎ＝１（本説明では、Ｄ９＝１）とする。すなわち、ＤＡ値を「１０００００００００」と設定する。なお、ＤＡ値は、前述のように、１０桁の２進数によって表され、「００００００００００」〜「１１１１１１１１１１」までの１０２４段階に可変であり、約４００Ｖ〜１０００Ｖの電圧値に対応している。ＤＡ値「１０００００００００」は、約４００Ｖ〜１０００Ｖの中間値（約７００Ｖ）に対応している。
【００９７】
次に、ステップＳ６２において、ＤＡ値「１０００００００００」に対応するストロボ電圧（約７００Ｖ）をランプ３１に印加することにより粒子の撮像を２０フレーム分行う。そして、ステップＳ６３において、上記２０フレーム分の粒子像の平均輝度値（測定輝度値Ｌｍ）を算出する。
【００９８】
次に、ステップＳ６４において、Ｌｔ（目標輝度値）≧Ｌｍ（測定輝度値）を満たすかどうかを判断する。Ｌｔ（目標輝度値）≧Ｌｍ（測定輝度値）を満たす場合には、ステップＳ６５において、ｎ＝９におけるＤＡ値（Ｄ９）の値を１に決定する。また、Ｌｔ（目標輝度値）≧Ｌｍ（測定輝度値）を満たさない場合には、ステップＳ６６において、ｎ＝９におけるＤＡ値（Ｄ９）の値を０に決定する。
【００９９】
次に、ステップＳ６７において、ｎ＝０を満たすか（ｎ＝０になったか）どうかを判断する。ｎ＝０を満たす（ｎ＝０になった）場合には、ステップＳ６８に移動する。ｎ＝０を満たさない（ｎ＝０になっていない）場合には、ステップＳ６９において、ｎ＝ｎ−１（本説明ではｎ＝８）とされる。
【０１００】
この後、ステップＳ６１〜ステップＳ６７において、ｎ＝８におけるＤＡ値（Ｄ８）が０または１に決定される（図３１では、Ｄ８＝０）。また、同様にして、図３１に示すように、ｎ＝７〜０におけるＤＡ値（Ｄ７〜Ｄ０）が０または１に決定される。図３１では、ｎ＝０のときのＤ９〜Ｄ０の値がＤＡ値（ＤＡ値＝１０１０００１０１０）になる。
【０１０１】
そして、ステップＳ６９において、決定されたＤＡ値（図３１では、ＤＡ値＝１０１０００１０１０）に対応するストロボ発光電圧によって撮像する。そして、ステップＳ７０において、撮像した粒子の測定輝度値Ｌｍ（平均輝度値）が、
Ｌｔ−５≦Ｌｍ≦Ｌｔ＋５  ・・・  式（４）
を満たすか否かを判断する。測定輝度値Ｌｍが上記式（４）の関係を満たす場合は、ストロボ発光強度の自動調整動作は終了する。また、測定輝度値Ｌｍが上記式（４）の関係を満たさない場合は、ステップＳ７１において、画像データ分析装置２がエラーを出力し、ＤＡ値は、自動調整前の値に戻る。
【０１０２】
本実施形態では、暗視野照明時において、上記のようなフィードバック制御によってＤＡ値が決定される。この決定されたＤＡ値に対応するストロボ発光電圧が、試料の測定時においてランプ３１に印加される。
【０１０３】
なお、明視野照明時においては、背景の輝度値が所定の値（目標輝度値）になるように、フィードバック制御によってＤＡ値が決定されるように構成されている。
【０１０４】
本実施形態では、上記のように、暗視野照明された透明粒子を撮像することによって、撮像画像の背景の輝度に対して、撮像画像の粒子像の輝度値を大きくすることができる。これにより、撮像前に透明粒子の不透明化（着色）を行うなどの操作を行うことなく透明粒子を撮像することができるので、透明粒子の撮像工程を簡素化することができる。また、画像データ処理部２ｂによって、暗視野照明を用いて撮像された画像を容易に分析して形態的特徴情報を迅速に得ることができる。また、画像処理基板６および画像データ処理部２ｂを、粒子像の背景に実質的に対応する輝度値よりも大きいしきい値に基づいて、撮像画像から粒子像を抽出するように構成することによって、容易に、暗視野照明によって撮像された粒子画像の輝度の小さい背景から輝度の大きい粒子像を抽出することができる。
【０１０５】
また、本実施形態では、上記のように、ヒストグラマ部により算出された最頻度輝度値よりも大きいしきい値を設定する式（３）により設定されたしきい値に基づいて、容易に、暗視野照明によって撮像された粒子画像から粒子像を抽出することができる。
【０１０６】
また、本実施形態では、上記のように、３６００フレーム分の撮像画像に対して、画像処理基板６および画像データ処理部２ｂは、粒子像の抽出を１フレーム毎に実行することによって、１フレーム毎に適切な粒子像の抽出を行うことができる。
【０１０７】
また、本実施形態では、上記のように、画像処理基板６および画像データ処理部２ｂが、撮像画像の各画素の輝度値としきい値とを比較することにより粒子像を抽出することによって、しきい値よりも大きい輝度を有する画素の集合を粒子像として抽出することができる。
【０１０８】
また、本実施形態では、上記のように、撮像画像の最頻度輝度値を、撮像画像の背景に実質的に対応する輝度値として用いることによって、背景に実質的に対応する輝度値を、容易に、ヒストグラムにより算出することができる。
【０１０９】
また、本実施形態では、上記のように、画像データ処理部によって、粒子の大きさおよび形状を測定することができる。
【０１１０】
また、本実施形態では、上記のように、明視野照明による撮像画像を処理する場合、最頻度輝度値よりも小さいしきい値に基づいて粒子像を抽出し、抽出された粒子像を分析して粒子の形態的特徴を表す形態的特徴情報を求め、暗視野照明による撮像画像を処理する場合、最頻度輝度値よりも大きいしきい値に基づいて粒子像を抽出し、抽出された粒子像を分析して粒子の形態的特徴を表す形態的特徴情報を求めることによって、１つの粒子画像分析装置を用いて、明視野照明または暗視野照明のいずれの照明による撮像画像からも粒子像を抽出することができるとともに、粒子の形態的特徴情報を得ることができる。
【０１１１】
また、本実施形態では、上記のように、画像データ分析装置２を、粒子像の輝度値に基づいてランプ３１のストロボ発光強度を調整するように構成することによって、たとえば、粒子像が鮮明に写っている場合の粒子像の輝度値になるように、ランプ３１のストロボ発光強度を設定することができる。
【０１１２】
また、本実施形態では、上記のように、画像データ分析装置２が、粒子像の平均輝度値に基づいて、発光強度を調整するように構成することによって、粒子像が全体的に適切な輝度を有するようにランプ３１のストロボ発光強度を設定することができる。
【０１１３】
また、本実施形態では、上記のように、画像データ分析装置２が、粒子像の目標輝度値と平均輝度値との差に基づいて発光強度を調整するように構成することによって、目標輝度値と平均輝度値との差が最も小さくなる平均輝度値に対応する照明部の発光強度を、目標輝度値に対応する発光強度として設定することができる。
【０１１４】
また、本実施形態では、上記のように、ストロボ発光強度の調整の際に使用される粒子の大きさおよび形状を、実質的に均一にすることによって、粒子の撮像画像から抽出された粒子像の輝度値がばらつくのを抑制することができる。このため、その粒子像の平均輝度値に基づいてストロボ発光強度を調整することにより、ストロボ発光強度の調整をより正確に行うことができる。
【０１１５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１１６】
たとえば、上記実施形態では、粒子を３６００フレーム分撮像する際に、２値化しきい値の算出および算出した２値化しきい値による粒子像の抽出を撮像画像毎に行うように構成した例を示したが、本発明はこれに限らず、２値化しきい値の算出を３６００フレームのうちの１フレームのみ行い、その２値化しきい値によって３６００フレーム全ての撮像画像の粒子像の抽出を行うように構成してもよい。このように構成すれば、１フレームによって算出された２値化しきい値により、他のフレームの粒子像の抽出を行うことができるので、より高速に粒子の形態的特徴情報を得ることができる。
【０１１７】
また、上記実施形態では、ストロボ発光強度の自動調整の際に、２０フレーム分の撮像を行う例を示したが、本発明はこれに限らず、２０フレームより多いフレーム分撮像を行ってもよいし、２０フレームよりも少ないフレーム分撮像を行ってもよい。
【０１１８】
また、上記実施形態では、暗視野照明と、明視野照明との両方の照明方法を用いることが可能である例を示したが、本発明はこれに限らず、暗視野照明のみが可能であるように構成してもよい。
【０１１９】
また、上記実施形態では、粒子像の背景に実質的に対応する輝度値として最頻度輝度値を用いる例を示したが、本発明はこれに限らず、撮像された撮像画像の平均輝度値を用いてもよい。
【０１２０】
また、上記実施形態では、粒子像の背景に実質的に対応する輝度値として最頻度輝度値を用いる例を示したが、本発明はこれに限らず、バックグラウンド補正用に撮像された撮像画像（バックグラウンド補正用画像）の平均輝度値を用いてもよい。
【図面の簡単な説明】
【０１２１】
【図１】本発明の一実施形態による粒子画像分析装置の全体構成を示した斜視図である。
【図２】図１に示した一実施形態による粒子画像分析装置の全体構成を示した概略図である。
【図３】図２に示した一実施形態によるフローセル内における粒子懸濁液およびシース液の流れを説明するための断面図である。
【図４】一実施形態による粒子画像分析装置のフローセルと、供給機構部と、支持機構部とを示す斜視図である。
【図５】図４の平面図である。
【図６】図４の側面図である。
【図７】一実施形態による粒子画像分析装置の支持機構部を示す斜視図である。
【図８】図１に示した一実施形態による粒子画像処理装置の内部構造を示した平面図である。
【図９】図５に示した一実施形態による粒子画像処理装置を部分的に示した平面図である。
【図１０】図５に示した一実施形態による粒子画像処理装置の正面図である。
【図１１】暗視野照明の際に、補助レンズに取り付けられるリングスリットを示す平面図である。
【図１２】補助レンズおよびリングスリットを示す斜視図である。
【図１３】暗視野照明の原理を説明するための概念図である。
【図１４】図１に示した一実施形態による粒子画像分析装置の粒子画像処理装置の構成を示したブロック図である。
【図１５】図１に示した一実施形態による粒子画像分析装置の画像処理動作を説明するための概略図である。
【図１６】図１４に示した一実施形態による粒子画像処理装置の画像処理プロセッサの処理手順を示したフローチャートである。
【図１７】図１４に示した一実施形態による画像処理プロセッサのラプラシアンフィルタ処理回路によるラプラシアンフィルタ処理の際に使用する係数の設定値を説明するための模式図である。
【図１８】一実施形態による画像処理プロセッサの２値化処理における２値化しきい値の決定方法を説明するための模式図である。
【図１９】一実施形態による画像処理プロセッサの２値化処理における２値化しきい値の決定方法を説明するための模式図である。
【図２０】図１４に示した一実施形態による画像処理プロセッサの２値化処理回路によるプライムコード・多重点情報取得処理の際に使用するプライムコードデータ格納用メモリの内容を示した模式図である。
【図２１】図１４に示した一実施形態による画像処理プロセッサの２値化処理回路によるプライムコード・多重点情報取得処理の際に使用するプライムコードの定義を説明するための模式図である。
【図２２】図１４に示した一実施形態による画像処理プロセッサの２値化処理回路によるプライムコード・多重点情報取得処理の際に使用する多重点の概念を説明するための模式図である。
【図２３】図１４に示した一実施形態による画像処理プロセッサの重なりチェック回路による重なりチェック処理の際に用いる内側粒子像が存在するか否かの判別原理を説明するための模式図である。
【図２４】図１５に示した一実施形態による画像処理基板から画像データ処理部に送信される１フレームデータ中の１粒子データの構成を示した模式図である。
【図２５】図６に示した一実施形態による画像処理基板により粒子の全体画像から部分画像を切り出す際の法則を説明するための図である。
【図２６】図１５に示した一実施形態による画像データ処理部の画像解析処理モジュールの動作手順を示したフローチャートである。
【図２７】一実施形態によるフローセルの自動焦点調整の動作を説明するためのフローチャートである。
【図２８】一実施形態によるフローセルの自動焦点調整において、フローセルの位置と平均輝度値との関係を６次関数に近似した場合のグラフである。
【図２９】一実施形態によるランプのストロボ発光強度の自動調整の手順を説明するためのフローチャートである。
【図３０】一実施形態によるランプのストロボ発光強度の自動調整の動作を説明するためのフローチャートである。
【図３１】一実施形態によるランプのストロボ発光強度の自動調整の動作を説明するための図である。
【符号の説明】
【０１２２】
１    粒子画像処理装置
１ｄ  画像処理基板（画像処理部）
２    画像データ分析装置
２ｂ  画像データ処理部（画像処理部、調整部）
４    照明光学系（照明部）
５    撮像光学系（撮像部）
８    フローセル
【図１】
2007304044.tif 000003
【図２】
2007304044.tif 000004
【図３】
2007304044.tif 000005
【図４】
2007304044.tif 000006
【図５】
2007304044.tif 000007
【図６】
2007304044.tif 000008
【図７】
2007304044.tif 000009
【図８】
2007304044.tif 000010
【図９】
2007304044.tif 000011
【図１０】
2007304044.tif 000012
【図１１】
2007304044.tif 000013
【図１２】
2007304044.tif 000014
【図１３】
2007304044.tif 000015
【図１４】
2007304044.tif 000016
【図１５】
2007304044.tif 000017
【図１６】
2007304044.tif 000018
【図１７】
2007304044.tif 000019
【図１８】
2007304044.tif 000020
【図１９】
2007304044.tif 000021
【図２０】
2007304044.tif 000022
【図２１】
2007304044.tif 000023
【図２２】
2007304044.tif 000024
【図２３】
2007304044.tif 000025
【図２４】
2007304044.tif 000026
【図２５】
2007304044.tif 000027
【図２６】
2007304044.tif 000028
【図２７】
2007304044.tif 000029
【図２８】
2007304044.tif 000030
【図２９】
2007304044.tif 000031
【図３０】
2007304044.tif 000032
【図３１】
2007304044.tif 000033